(57)【特許請求の範囲】
【請求項１】
上端の係止部がデスクの幕板の係合部に係着され幕板にそっておかれる垂直面部と、この垂直面部の下端に水平姿勢から垂直姿勢の範囲で転回可能に枢支され水平姿勢時に配線類を支持する受け部材とで構成されており、
前記垂直面部は、その上下方向中間位置に略水平な段部を有し、前記受け部材は、その先端にこれを垂直姿勢に転回したとき前記段部に係合し水平姿勢時に配線類の脱落を防ぐための縁部を有し、前記受け部材を垂直姿勢として前記縁部を垂直面部の段部に係合させたとき当該受け部材が幕板の厚みの範囲内におかれるようにされている
ことを特徴とするデスクの配線受け。
【請求項２】
前記段部は、前記垂直面部の上半部が前記幕板に当接しておかれ下半部が幕板から離間しておかれるよう断面クランク状に折曲形成してその折曲部の略水平な面により構成されている請求項１記載のデスクの配線受け。
【請求項３】
前記垂直面部と受け部材との枢支部は、その一方の部材の枢支部に形成された軸部およびガイド部と、他方の部材の枢支部に形成され前記軸部とガイド部との間の間隙部に嵌合する断面半円状の軸受部とで構成され、垂直面部と受け部材とが別体として形成されている請求項１〜２のいずれか１項記載のデスクの配線受け。
【発明の詳細な説明】
【０００１】
【発明の属する技術分野】
本発明はＯＡ機器を使用するデスクに係り、特にデスクにおいて使用するＯＡ機器の配線を処理するデスクの配線受けに関する。
【０００２】
【従来の技術】
デスクの天板上にＯＡ機器を載置して使用する場合には、床に導かれる電源ケーブルをはじめ、機器間を継ぐケーブル類が多数存在することになり、これらが錯綜してデスク周りが煩雑になり、オフィスの景観を損ねるばかりでなく、執務のうえでも邪魔になる。
【０００３】
このような配線類を処理することができるデスクとして、従来からデスク天板の奥端にケーブル挿通孔を設け、このケーブル挿通孔を天板と同一面となるカバーにより閉鎖して天板の一部となし、ケーブル挿通時には任意位置のカバーを開けてケーブルを通し、天板下に導くようにして外部には現れないようにしたデスクが一般に用いられている。
【０００４】
上記のようなデスクにおいて、前記ケーブル挿通孔を通して天板下に引き出されたケーブルの余長部分やコンセント類が床面上に置かれているとやはり執務上邪魔になるためこれらを仕末する必要がある。
【０００５】
従来から上記のような余長ケーブルやコンセント類の所在を整理する手段として、天板の下方に配線受けを設け、この配線受けに余長ケーブルやコンセント類を載置するようにして配線を処理するようにしたものが知られている（特公平７−７３５３９号公報、特許第２９０６３２４号公報参照）。
【０００６】
【発明が解決しようとする課題】
上記特公平７−７３５３９号公報（公知例１）に記載のものは、デスクの左右の脚間または袖間を継ぐ幕板に該幕板とは別体構成の受枠を設置し、この受枠に断面略Ｕ字形の樋状の配線受けを係着させるようになされたものである。
【０００７】
しかるにこのような構造によると、ケーブル類を横方向および縦方向に通すことや、配線受けを横方向に位置をずらして使用することが可能であり、配線量や配線パターンに対し柔軟に対応することができる利点は有するも、配線受けに下方からの外力が加わったとき上方へ外れやすく、デスクの使用者が誤って配線受けを蹴り上げたりすると簡単に外れてしまい、配線の整理をし直す必要が生じて煩わしいうえ、デスクの幕板とは別体の受枠を幕板に取り付ける必要があってコストアップとなるなどの問題点がある。
【０００８】
一方、特許第２９０６３２４号公報（公知例２）に記載のものは、上記公知例１における問題点を解消するものとして、幕板の両端部に平面視Ｌ形状をなして固設される垂直な取付板を有する取付部を設け、この取付部の取付板に樹脂製の配線受けを係合させて上下動不能に取り付け、配線受けに下方から外力が加わっても外れることがないようにしたものである。
【０００９】
しかしこの構造によるものでは、前記公知例１における配線量や配線パターンに柔軟に対応し得るという利点は失われ、使いにくいものとなるという弊害をもたらす。
【００１０】
また上記いずれの公知例の場合も、配線受けにコンセント等を載置することを意図しているので配線受けの奥行がデスク天板のケーブル挿通孔の奥行幅と略同じ寸法を有する必要があり、そのため配線受けを幕板と一緒に梱包・保管することができず、したがって出荷後の組み付け作業を要することになり、余分な手数が掛ることになる。また仮に幕板と配線受けとを一緒に梱包するようにした場合には著しく嵩張る形態となり、梱包材料費、保管スペース、輸送費の各増大を招き、勢いコストに影響を及ぼすことになる。
【００１１】
本発明は、通常の使用状態では外れることがなく、それでいて配線処理の自由度を確保し、かつ幕板梱包時には配線受けごと小容積化し得て、梱包費、保管費、輸送費を低廉に抑えることができるようにすることを課題としてなされたものである。
【００１２】
【課題を解決するための手段】
上記課題を解決する手段として本発明は、上端の係止部がデスクの幕板の係合部に係着され幕板にそっておかれる垂直面部と、この垂直面部の下端に水平姿勢から垂直姿勢の範囲で転回可能に枢支され水平姿勢時に配線類を支持する受け部材とで構成されていることを特徴とする。
【００１３】
前記垂直面部は、その上下方向中間位置に略水平な段部を設け、前記受け部材は、その先端にこれを垂直姿勢に転回したとき前記段部に係合し水平姿勢時に配線類の脱落を防ぐための縁部を設け、前記受け部材を垂直姿勢として前記縁部を垂直面部の段部に係合させたとき当該受け部材が幕板の厚みの範囲内におかれるようにすることが好ましい。
【００１４】
また前記段部は、前記垂直面部の上半部が前記幕板に当接しておかれ下半部が幕板から離間しておかれるよう断面クランク状に折曲形成してその折曲部の略水平な面により構成することができる。
【００１５】
前記垂直面部と受け部材との枢支部は、その一方の部材の枢支部に形成された軸部およびガイド部と、他方の部材の枢支部に形成され前記軸部とガイド部との間の間隙部に嵌合する断面半円状の軸受部とで構成し、垂直面部と受け部材とを別体として形成することができる。
【００１６】
【発明の実施の形態】
以下、本発明を図面に示す実施の形態を参照して説明する。
【００１７】
図１〜図３は本発明による配線受け１をデスク２の幕板３に取り付けてケーブルやコンセント等を載置し得る状態時の分解斜視図、正面図、およびこの正面図のＡ−Ａ断面図をそれぞれ示している。
【００１８】
上記デスク２は通常のＯＡ機器対応型のもので、左右の脚（袖）４，４の後部間に幕板３が結合され、これら脚４，４および幕板３の上面に天板５が載置固定されている。
【００１９】
上記天板５の奥端にはケーブル挿通孔６が形成されており、このケーブル挿通孔６はカバー７，７…により開閉自在とされ、カバー７，７…の閉止時にはその上面が天板５の上面と同一面をなして天板面の一部を構成するようになされている。
【００２０】
前記幕板３は金属板からなり、図６に上方部の拡大断面図を示すように幕板３の上端が内側に断面下向きコ字状をなすように折曲され、その垂下辺３ａの下端がさらに直角に折曲されて係合部８とされている。
【００２１】
前記配線受け１は合成樹脂により形成され、図４、図５に示すように上端の係止部９が前記幕板３の係合部８に係着されて幕板３にそっておかれる垂直面部１０と、この垂直面部１０の下端に水平姿勢から垂直姿勢の範囲内で転回可能に枢支部１１により枢支された受け部材１２との２部材で構成されている。
【００２２】
前記垂直面部１０は、その上半部１３が前記幕板３に当接しておかれ下半部１４が前記係合部８の形成による幕板３の厚みｔ（図６示）の範囲内で幕板３から離間しておかれるよう断面クランク状に形成されてその折曲部に略水平な面を有する段部１５が形成されており、前記上半部１３の上端に係止部９が形成されている。
【００２３】
前記係止部９は、前記上半部１３の上端が下向きＵ字状に屈曲されてバネ性が付与された弾性部１６とされ、この弾性部１６を形成するために折り返された下端が水平方向に折曲されてその先端に前記幕板３の係合部８に係止される係止爪１７が形成されており、この係止爪１７の上方の側面は上端先細となる傾斜面１７ａとされている。
【００２４】
上記係止爪１７の下部には該係止爪１７を前記係合部８から外す際の操作部となる手掛け１８が形成されており、この手掛け１８を図６に矢印で示す方向に押すことにより前記弾性部１６を撓ませて係止爪１７を係合部８から外することができるようになっている。
【００２５】
前記受け部材１２は、その先端にこれを垂直姿勢に転回したとき前記垂直面部１０の段部１５に係合し水平姿勢に転回したときケーブルやコンセント類の脱落を防ぐための縁部１９を有し、この縁部１９の内面側には前記段部１５の上面に突設された突部２０に嵌合する凹部２１が形成されており、受け部材１２を垂直姿勢したとき突部２０と凹部２１とが嵌合して受け部材１２を垂直姿勢に維持し、みだりに転回することがないようにしている。なおこの突部２０と凹部２１とを設ける箇所は逆にしてもよい。
【００２６】
上記のように受け部材１２を垂直面部１０にそわせて垂直姿勢に転回したとき、図７（Ｂ）に示すように受け部材１２は幕板３の厚みｔの範囲内に納まるように形成されている。
【００２７】
前記受け部材１２の後端には、この受け部材１２を水平姿勢に転回したとき図７（Ａ）に示すように幕板３に密接しておかれて突張る折曲片２２が形成されている。
【００２８】
図示の実施形態における枢支部１１は、図５に示すように、前記受け部材１２の後端寄りの位置に形成された軸部２３、およびこの軸部２３の後部側略半周を所定の間隔をおいてカバーするガイド部２４と、前記垂直面部１０の下端に形成され前記軸部２３とガイド部２４との間の間隙部２５に嵌入し得る断面略半円形状の軸受部２６とで構成され、この軸受部２６を前記間隙部２５に図４（Ａ）に矢印で示す方向から挿入することにより図５（Ｂ），（Ｃ）のように両部材が回転自在に結合され、受け部材１２を水平姿勢に転回したとき前記間隙部２５の内端２５ａに前記軸受部２６の先端２６ａが当接してストップすることにより受け部材１２の回動限が定まるようになっている。
【００２９】
したがって配線受け１をデスク２に取り付けるには、その垂直面部１０を幕板３にそわせて上方へスライドさせれば、係止爪１７の傾斜面１７ａが幕板３の係合部８に当って押されることによりその上端の係止部９の弾性部１６が撓んで幕板３の係合部８を通過し、次いで引き下げることにより係止部９の係止爪１７が係合部８に図６に鎖線で示すように係合し、抜け止めされて取り付けられる。
【００３０】
余長ケーブルやコンセント等を載置するときは、図７（Ａ）のように受け部材１２を水平姿勢に転回させれば、受け部材１２の間隔部２５の内端２５ａに垂直面部１０の軸受部２６の先端２６ａが当接することと、折曲片２２が幕板３に当接することによって受け部材１２は水平状態に留り、棚状となって固定され、その上に余長ケーブルやコンセント等を載せておくことができる。
【００３１】
受け部材１２の横方向の位置を変更したい場合には、垂直面部１０を横方向へスライドさせれば係止爪１７が係合部８にそって滑ることにより移動させることができ、任意の位置に受け部材１２を置くことができる。
【００３２】
受け部材１２の不必要時には、受け部材１２を上方へ転回させればその縁部１９が垂直面部１０の段部１５上に係合し、その凹部２１が段部１５の突部２０に嵌合して外れ止めされ、図７（Ｂ）のように格納状態におかれる。
【００３３】
出荷時や幕板３の梱包時には、同じく上記図７（Ｂ）の状態にしておけば配線受け１は幕板３から突出することなくその厚みｔの範囲内におかれ、梱包時に嵩張ることがなく、梱包材料も幕板３を梱包するだけの材料の使用で済み、経済的であり、輸送費も少なくて済む。
【００３４】
また、通常デスク２を向き合わせて設置した際にデスク間にケーブルを通すために幕板３にケーブル挿通孔３ａが開口されている場合があるが、配線受け１の垂直面部１０を前記のように断面クランク状に形成することによりケーブル挿通孔３ａとの間に間隙が形成され、この間隙からケーブルを引き出すことができるので垂直面部１０に改めて孔をあける必要はない。
【００３５】
図８、図９は前記段部１５の変形例を示すもので、垂直面部１０はフラットな形態としてその下端を前記段部１５に相当するだけ屈曲させ、前記段部１５に相当する位置に突片１０ａを水平方向に棚状に突設し、その突片１０ａの上面に突部２０を形成して受け部材１２を垂直姿勢に変換したとき（図８（Ｂ），図９（Ｂ））、その縁部１９の凹部２１が突部２０に係合するようにしたものである。
【００３６】
これによれば、垂直面部１０の幕板３に接する面積が大きくなるので、受け部材１２に大きな荷重が掛っても安定よく支持することができる。
【００３７】
他の構成は前記実施形態と同じであるからこれと対応する部分には同一符号を付すに留め、詳細な説明は省略する。
【００３８】
図１０、図１１は、垂直面部１０を所要長さに形成し、受け部材１２は短い長さとして、一つの垂直面部１０に複数（図では５個）の受け部材１２，１２…を取り付けるようにした実施形態を示している。
【００３９】
このような形態とすれば、コンセント２７のような機器を載せるときにはすべての受け部材１２，１２…を図１１（Ａ）のように水平姿勢として一連の配線受けとし、これら受け部材１２，１２…上に跨がってコンセント２７を安定よく載置することができる。
【００４０】
また余長ケーブルを整理するときは、図１１（Ｂ）に例示するように受け部材１２，１２…を一つ置きに水平姿勢とし、この水平姿勢の受け部材１２，１２に余長ケーブル２８をループ状としてその縁部１９に引掛けるようにして支持させることができる。
【００４１】
図１２は幕板３の中段部にも該幕板３の上端と同じ断面形状を有する横桟２９を固設し、この横桟２９の係合部に垂直面部１０の係止部９を取り付けるようにして上下２段に配線受け１を設けるようにした場合を示している。
【００４２】
このようにすることにより、より多くのケーブルやコンセント等の機器類を整理することができる。
【００４３】
【発明の効果】
以上説明したように本発明によれば、執務中に配線受けに足が当って蹴り上げられたとしても、垂直面部の係止部が幕板側の係合部に係着されているので外れることがなく、常に安定的に配線類を保持させておくことができる。
【００４４】
また配線受けを幕板に取り付けた状態であっても、受け部材を垂直姿勢に転回させておくことにより配線受けは幕板の厚みの範囲内におくことができるので、梱包時に幕板と配線受けとを一緒に梱包することができると同時に幕板を梱包するだけの梱包材料の使用ですみ、これらにより梱包材料の大幅な節減を図ることができ、輸送時や保管時にも嵩張ることがなく、経費の節減を図ることができる。
【００４５】
さらにデスクの使用時に配線処理を必要としないときは、受け部材を垂直姿勢に転回させておけば執務者の邪魔になることがなく、足が当ることもない。
【図面の簡単な説明】
【図１】本発明による配線受けを取り付けた状態におけるデスクの分解斜視図。
【図２】同、デスクの正面図。
【図３】図２のＡ−Ａ断面図。
【図４】本発明による配線受けの一実施形態を示し、（Ａ）は垂直面部と受け部材との結合前の状態、（Ｂ）の結合後の状態，（Ｃ）は受け部材を垂直姿勢に転回した状態の各斜視図。
【図５】（Ａ）〜（Ｃ）は図４（Ａ）〜（Ｃ）の各断面図。
【図６】配線受けをデスクの幕板に係着させる過程を示す断面図。
【図７】（Ａ）は係着後、受け部材を水平姿勢に転回した状態，（Ｂ）は垂直姿勢に転回した状態の各断面図。
【図８】配線受けの変形例を示し、（Ａ）は受け部材を水平姿勢に転回した状態、（Ｂ）は垂直姿勢に転回した状態の各断面図。
【図９】図８の配線受けをデスクの幕板に係着させた状態を示し、（Ａ）は受け部材を水平姿勢に転回した状態、（Ｂ）は垂直姿勢に転回した状態の各断面図。
【図１０】本発明による配線受けの他の実施形態を示す斜視図。
【図１１】（Ａ），（Ｂ）は図８の配線受けの使用例を示す斜視図。
【図１２】配線受けを幕板に上下２段に設けた場合のデスクの分解斜視図。
【符号の説明】
１  配線受け
２  デスク
３  幕板
５  天板
６  ケーブル挿通孔
７  カバー
８  係合部
９  係止部
１０  垂直面部
１１  枢支部
１２  受け部材
１５  段部
１６  弾性部
１７  係止爪
１９  縁部
２２  折曲片
２３  軸部
２４  ガイド部
２５  間隙部
２６  軸受部
２７  コンセント
２８  余長ケーブル
【図１】
0004480861.tif 000002
【図２】
0004480861.tif 000003
【図３】
0004480861.tif 000004
【図４】
0004480861.tif 000005
【図５】
0004480861.tif 000006
【図６】
0004480861.tif 000007
【図７】
0004480861.tif 000008
【図８】
0004480861.tif 000009
【図９】
0004480861.tif 000010
【図１０】
0004480861.tif 000011
【図１１】
0004480861.tif 000012
【図１２】
0004480861.tif 000013